(57)【要約】【課題】  地上デジタルテレビジョン放送信号の受信に、ブースタを必要とするか否かを容易に判定できる。【解決手段】  地上デジタルテレビジョン放送信号を受信するアンテナ素子２の出力信号が、可変減衰器４に供給されている。可変減衰器４は、手動で非減衰状態から一定量ずつ減衰量を変化可能に構成されている。【選択図】        図１
2008042435.tif 000002
【特許請求の範囲】
【請求項１】
地上デジタルテレビジョン放送信号を受信するアンテナ素子と、
このアンテナ素子で受信された前記地上デジタルテレビジョン放送信号が供給され、手動で非減衰状態から一定量ずつ減衰量を段階的に変化可能に構成された可変減衰器とを、
具備するアンテナ。
【請求項２】
請求項１記載のアンテナにおいて、
出力端子と、
増幅手段と、
前記可変減衰器の出力信号がそのまま前記出力端子に供給する状態と、前記増幅手段で増幅して前記出力端子に供給する状態とに、切り換える切換手段とを、
具備するアンテナ。
【請求項３】
請求項１または２記載のアンテナにおいて、前記可変減衰器は、複数の固定減衰器を有し、これら固定減衰器の減衰量が、２の累乗に設定され、前記各固定減衰器が組合せ可能に構成されているアンテナ。
【発明の詳細な説明】
【技術分野】
【０００１】
本発明は、アンテナに関し、特に地上デジタル放送受信用のアンテナに関する。
【背景技術】
【０００２】
地上デジタルテレビジョン放送信号をアンテナで受信し、その受信信号をブースタで増幅することが、例えば特許文献１に開示されている。
【０００３】
【特許文献１】特開２００４−４０６９９号公報
【発明の開示】
【発明が解決しようとする課題】
【０００４】
特許文献１に開示されているように、地上デジタルテレビジョン放送信号をブースタで増幅するか否かは、受信不能となる電界強度までどの程度の余裕があるかによって決める必要がある。図４に示すように地上デジタルテレビジョン放送信号の電界強度が或る強度からわずかだけ低下しただけで受信品質が極度に劣化し、受信不能になることがある。従って、現在、ブースタを使用していない状態で良好に地上デジタルテレビジョン放送信号を受信できていても、電界強度の余裕が小さいと、電界強度がわずかに低下しただけで、受信不能となる可能性がある。従って、上述した電界強度の低下に対してどの程度の余裕があるかをチェックする必要がある。しかし、特許文献１に開示されているようなブースタでは、そのような対策はなんら施されていない。ブースタには、過入力を防止するために、非減衰状態と予め定めた減衰量だけ減衰させた減衰状態とを手動で切り換えられるように構成した可変減衰器を備えたものもある。しかし、この可変減衰器では、非減衰状態と減衰状態とに切り換えることができるだけであるので、上述した電界強度に余裕があるか否かを可変減衰器の切換によって判定することはできない。
【０００５】
本発明は、地上デジタルテレビジョン放送信号を受信するに際し、ブースタを必要とするか否かを判定することができるアンテナを提供することを目的とする。
【課題を解決するための手段】
【０００６】
本発明によるアンテナは、地上デジタルテレビジョン放送信号を受信するアンテナ素子を有している。このアンテナ素子としては、地上デジタルテレビジョン放送信号を受信可能なものであれば、種々のものを使用することができ、例えば八木形アンテナやダイポールアンテナ等を使用することができる。このアンテナ素子で受信された前記地上デジタルテレビジョン放送信号が可変減衰器に供給される。この可変減衰器は、手動で非減衰状態から一定量ずつ減衰量を段階的に変化可能に構成されたものである。
【０００７】
例えば非減衰状態において可変減衰器の出力信号をテレビジョン受信機に接続して、地上デジタルテレビジョン放送信号を受信して、良好に受信できているとする。この状態から、手動によって減衰量を一定量ずつ増加させていって、どの減衰量によって受信不能になったかをチェックする。この受信不能になった減衰量だけ、良好に受信するための電界強度の余裕があることになる。わずかに減衰させただけで受信不能となった場合には、電界強度の余裕は少なく、ブースタを使用する必要がある。また、かなり大きい減衰量として初めて受信不能となった場合には、電界強度にはかなりの余裕があり、ブースタを使用する必要がない。このような判定をアンテナのみによって行うことができる。
【０００８】
さらに、出力端子と、増幅手段とを設けることもできる。この場合、可変減衰器の出力信号がそのまま出力端子に供給する状態と、増幅手段で増幅して出力端子に供給する状態とに、切り換える切換手段を設ける。この場合、可変減衰器、出力端子、増幅手段及び切換手段をアンテナ素子と共に１つの筐体内に収容することもできるし、可変減衰器、出力端子、増幅手段及び切換手段を、アンテナ素子とは別個の筐体内に収容することもできる。この場合、アンテナ素子と筐体とは接近して配置することが望ましい。
【０００９】
このように構成すると、切換回路を切り換えて、可変減衰器を非減衰状態とすることによって、電界強度にわずかな変化があっても良好に地上デジタルテレビジョン放送信号を受信できる状態にできる。また、上記の説明は、地上デジタルテレビジョン放送信号の電界強度が比較的小さい場合の話であるが、例えば地上デジタルテレビジョン放送信号の電界強度が大きい場合もある。このような場合に、増幅手段によって地上デジタルテレビジョン放送信号を増幅していると、電界強度がさらに大きくなりすぎ、地上デジタルテレビジョン放送信号を受信できなくなる場合がある。このような場合、可変減衰器において適切な電界強度まで地上デジタルテレビジョン放送信号を減衰させてから、切換回路を介して増幅手段に供給するようにすれば、良好に地上デジタル放送信号を受信することができる。即ち、強電界地域でも弱電界地域でも、このアンテナによって良好に地上デジタルテレビジョン放送信号を受信することができる。
【００１０】
前記可変減衰器は、複数の固定減衰器を有し、これら固定減衰器の減衰量が、２の累乗に設定することができる。この場合、各固定減衰器が組合せ可能に構成されている。このように構成すると、固定減衰器を２進数の変化に従って組み合わせていくことができ、非減衰状態から１ｄＢずつ減衰量を増加させるように減衰量を変化させることができ、わずかな電界強度の余裕も確実に判定することができる。
【発明の効果】
【００１１】
以上のように、本発明によれば、地上デジタルテレビジョン放送信号を受信するに際し、ブースタを必要とするか否かを容易に判定することができる。
【発明を実施するための最良の形態】
【００１２】
本発明の一実施形態のアンテナは、図１に示すように、アンテナ素子２を有している。このアンテナ素子２は、地上デジタルテレビジョン放送信号を受信可能なもので、例えば八木形アンテナである。
【００１３】
このアンテナ素子２によって受信された地上デジタルテレビジョン放送信号は、可変減衰器４に供給される。可変減衰器４は、例えば図２に示すように、複数、例えば４台の固定減衰器６ａ乃至６ｄを縦続接続したものである。固定減衰器６ａの減衰量は１ｄＢ、固定減衰器６ｂの減衰量は２ｄＢ、固定減衰器６ｃの減衰量は４ｄＢ、固定減衰器６ｄの減衰量は８ｄＢで、それぞれ２０、２１、２２、２３と、２の累乗であり、その指数が０から順に１ずつ増加している。
【００１４】
固定減衰器６ａの入力側と出力側とに切換スイッチ８ａ、９ａが設けられている。これら切換スイッチ８ａ、９ａは、手動操作によってＯＦＦ側とＯＮ側とに連動して切り換えられる。切換スイッチ８ａ、９ａのＯＦＦ側は互いに接続され、切換スイッチ８ａのＯＮ側は固定減衰器６ａに接続され、切換スイッチ９ａのＯＮ側は固定減衰器６ａの出力側に接続されている。従って、切換スイッチ８ａ、９ａをＯＦＦ側に切り換えたとき、地上デジタルテレビジョン放送信号は、固定減衰器６ａで減衰されずに後段に送られる。切換スイッチ８ａ、９ａをＯＮ側に切り換えたとき、地上デジタルテレビジョン放送信号は、固定減衰器６ａで減衰されて、後段に送られる。固定減衰器６ｂ乃至６ｄにも、同様に切換スイッチ８ｂ乃至８ｄ及び９ｂ乃至９ｄが設けられ、同様に動作する。
【００１５】
これら開閉スイッチ８ａ乃至８ｄ、９ａ乃至９ｄが全てＯＦＦ側に切り換えられた状態では、アンテナ素子２で受信された地上デジタルテレビジョン放送信号は、減衰されずに出力される。開閉スイッチ８ａ、９ａＯＮ側に切り換え、他の開閉スイッチ８ｂ乃至８ｄ、９ｂ乃至９ｄをＯＦＦ側に切り換えた状態では、固定減衰器６ａのみで減衰が行われ、可変減衰器４の減衰量は１ｄＢとなる。開閉スイッチ８ａ、８ｃ及び８ｄ、９ａ、９ｃ及び９ｄをＯＦＦ側に切り換え、開閉スイッチ８ｂをＯＮ側に切り換えた状態では、固定減衰器６ｂのみで減衰が行われ、可変減衰器４の減衰量は２ｄＢとなる。開閉スイッチ８ａ、８ｂ、９ａ、９ｂをＯＮ側に切り換え、開閉スイッチ８ｃ、８ｄ、９ｃ、９ｄをＯＦＦ側に切り換えた状態では、固定減衰器６ａ、６ｂで減衰が行われ、可変減衰器４の減衰量は３ｄＢとなる。開閉スイッチ８ｃをＯＮ側に切り換え、開閉スイッチ８ａ、８ｂ及び８ｄをＯＦＦ側に切り換えた状態では、固定減衰器６ｃのみで減衰が行われ、可変減衰器４の減衰量は４ｄＢとなる。以下、上述したのと同様にして減衰量を１ｄＢずつ順に５ｄＢから１５ｄＢまで変化させることができる。
【００１６】
このように所定量、例えば１ｄＢずつ変化させることができるのは、各固定減衰器６ａ乃至６ｄの減衰量を固定減衰器６ａ側から固定減衰器６ｄに向けて２の累乗の小さな値から大きな値になるように設定し、各固定減衰器６ａ乃至６ｄに開閉スイッチ８ａ乃至８ｄ、９ａ乃至９ｄを設けてあり、開閉スイッチ８ａ乃至８ｄ、９ａ乃至９ｄを４ビットの２進数に従って開閉させるからである。
【００１７】
可変減衰器４の出力信号は、切換手段、例えば切換スイッチ１０の接触子１０ａに供給されている。切換スイッチ１０は、接点１０ｂ、１０ｃも有し、接触子１０ａは手動によって接点１０ｂ及び１０ｃの一方に接続される。接点１０ｂはそのまま出力端子１２に接続されている。また、接点１０ｃは、地上デジタルテレビジョン放送信号を増幅可能な増幅手段、例えば増幅器１４に接続され、増幅器１４の出力側が出力端子１２に接続されている。
【００１８】
アンテナ素子２、可変減衰器４、切換スイッチ１０、出力端子１２及び増幅器１４は、１つの筐体内に配置され、アンテナ素子２と増幅器１４との距離を近づけてある。この場合、切換スイッチ１０の操作部１６と、各開閉スイッチ８ａ乃至８ｄ、９ａ乃至９ｄの操作部１８ａ乃至１８ｄは、図３に示すように、１列に配置され、操作が容易にされている。なお、操作部１８ａ乃至１８ｄは「ＯＮ」と記載されている側に操作された場合、開閉スイッチ８ａ乃至８ｄ、９ａ乃至９ｄがＯＮ側に切り換えられ、「ＯＦＦ」と記載されている側に操作された場合、開閉スイッチ８ａ乃至８ｄ、９ａ乃至９ｄがＯＦＦ側に切り換えられる。操作部１６が「ＯＮ」と記載されている側に操作されると、切換スイッチ１０を介して可変減衰器４の出力信号が増幅器１４に供給され、「ＯＦＦ」と記載されている側に操作部１６が操作されると、切換スイッチ１０を介して可変減衰器４の出力信号が直接出力端子１２に供給される。
【００１９】
このように構成されたアンテナは、例えば地上デジタルテレビジョン放送信号を受信しようとする地点に設置され、可変減衰器４の出力信号が出力端子１２に直接供給されるように切換スイッチ１０を切り換え、出力端子１２にテレビジョン受信機を接続する。
【００２０】
この状態で、各開閉スイッチ８ａ乃至８ｄ、９ａ乃至９ｄをＯＦＦ側に切り換えて、可変減衰器４を非減衰状態とする。ここでテレビジョン受信機において地上デジタル放送を良好に受信できるか作業者が判定する。良好に受信できると、各開閉スイッチ８ａ乃至８ｄ、９ａ乃至９ｄを操作して、１ｄＢずつ減衰量を増加させていき、どの程度の減衰量で良好に受信できなくなったり、ブロックノイズが発生したりするかを作業者が判定する。
【００２１】
例えば１ｄＢや２ｄＢの減衰量で良好に受信できなくなったり、ブロックノイズが発生したりすると、地上デジタルテレビジョン放送信号の電界強度の余裕は少ないと判断できる。そこで、切換スイッチ１０を操作して、可変減衰器４の出力信号を増幅器１４で増幅して出力端子１２に供給する。このとき、可変減衰器４の減衰量は零としてもよいが、増幅器１４の利得によっては出力端子１２からテレビジョン受像機に供給される地上デジタルテレビジョン放送信号が過入力となる場合がある。この場合には、地上デジタルテレビジョン放送信号が良好にテレビジョン受像機で受信できるように、可変減衰器４の減衰量を調整する。
【００２２】
例えば１０ｄＢ以上の減衰によって初めて受信不良となるなら、地上デジタルテレビジョン放送信号の電界強度は、充分な余裕を持っていると判断することができる。そこで、可変減衰器４の出力信号が出力端子１２に直接供給されるように切換スイッチ１０を切り換えたまま、可変減衰器４の減衰量を０ｄＢとして、地上デジタルテレビジョン放送の受信を行う。
【００２３】
上記の実施の形態では、アンテナ素子２と可変減衰器４の他に切換スイッチ１０及び増幅器１４を設けたが、アンテナ素子２と可変減衰器４のみを設けることもできる。この場合、地上デジタルテレビジョン放送信号を受信しようとする地点の周囲の様々な点において、上述したように可変減衰器４の減衰量の調整を行い、最も電界強度に余裕がある地点に、このアンテナを設置する。
【００２４】
上記の実施形態では、可変減衰器４の減衰量を０ｄＢから１５ｄＢまで１ｄＢずつ変化させるように構成したが、最大減衰量を１５ｄＢよりも大きくすることもできるし、変化量を１ｄＢよりも大きくしたり、小さくしたりすることもできる。更に、可変減衰器４は、複数の固定減衰器を縦続接続し、各固定減衰器の入出力間にスルー用の開閉スイッチを設けたが、一定量ずつ減衰量を変化させることができるものであれば、他の構成を使用することもできる。
【図面の簡単な説明】
【００２５】
【図１】本発明の一実施形態のアンテナのブロック図である。
【図２】図１のアンテナに使用している可変減衰器のブロック図である。
【図３】図１のアンテナの操作部の正面図である。
【図４】地上デジタルテレビジョン放送の電界強度と受信品質との関係を示す図である。
【符号の説明】
【００２６】
２  アンテナ素子
４  可変減衰器
１０  切換スイッチ（切換手段）
１２  出力端子
１４  増幅器（増幅手段）
【図１】
2008042435.tif 000003
【図２】
2008042435.tif 000004
【図３】
2008042435.tif 000005
【図４】
2008042435.tif 000006